(57)【要約】【課題】液晶表示ユニットを交換する際の操作を不要とすることができ、装置の大型化、消費電力の増大などを防止できる情報出力ユニットを提供すること。【解決手段】情報出力ユニット１０は、第１液晶表示ユニットによる画像の表示に適したガンマ補正情報を記憶する第１ガンマ補正情報記憶部１３と；入力された画像情報に対して、第１ガンマ補正情報記憶部１３に記憶されたガンマ補正情報に基づくガンマ補正を施し、得られた画像情報を液晶表示ユニットに出力するガンマ補正部１２と；ガンマ補正部１２より出力された画像情報に対するガンマ補正を施した場合に、第２液晶表示ユニットによる画像の表示に適した画像情報が得られるようなガンマ補正情報を記憶する第２ガンマ補正情報記憶部１５と；第２ガンマ補正情報記憶部１５に記憶されたガンマ補正情報を液晶表示ユニットに出力する制御部１６と；を有することを特徴とする。【選択図】図１
2008180920.tif 000002
【特許請求の範囲】
【請求項１】
入力された画像情報に基づく画像の表示を、ガンマ補正を施さずに行う第１液晶表示ユニット、又は、入力された画像情報に基づく画像の表示を、入力されたガンマ補正情報に基づくガンマ補正の後に行う第２液晶表示ユニットと、
前記第１液晶表示ユニットと、前記第２液晶表示ユニットとのいずれにも接続可能な、液晶表示ユニットに情報を出力する情報出力ユニットと、
を有し、
前記情報出力ユニットは、
前記第１液晶表示ユニットによる画像の表示に適したガンマ補正情報を記憶する第１ガンマ補正情報記憶部と、
入力された画像情報に対して、前記第１ガンマ補正情報記憶部に記憶されたガンマ補正情報に基づくガンマ補正を施し、得られた画像情報を前記液晶表示ユニットに出力するガンマ補正部と、
前記ガンマ補正部より出力された画像情報に対するガンマ補正を施した場合に、前記第２液晶表示ユニットによる画像の表示に適した画像情報が得られるようなガンマ補正情報を記憶する第２ガンマ補正情報記憶部と、
前記液晶表示ユニットの各種動作を制御する制御情報及び前記第２ガンマ補正情報記憶部に記憶されたガンマ補正情報を前記液晶表示ユニットに出力する制御部と、
を有し、
前記制御部は、前記制御情報の空きアドレスを用いて、前記第２ガンマ補正情報記憶部に記憶されたガンマ補正情報を前記液晶表示ユニットに出力することを特徴とする電子機器。
【請求項２】
入力された画像情報に基づく画像の表示を、ガンマ補正を施さずに行う第１液晶表示ユニットと；入力された画像情報に基づく画像の表示を、入力されたガンマ補正情報に基づくガンマ補正の後に行う第２液晶表示ユニットと；のいずれにも接続可能な、液晶表示ユニットに情報を出力する情報出力ユニットであって、
前記第１液晶表示ユニットによる画像の表示に適したガンマ補正情報を記憶する第１ガンマ補正情報記憶部と、
入力された画像情報に対して、前記第１ガンマ補正情報記憶部に記憶されたガンマ補正情報に基づくガンマ補正を施し、得られた画像情報を前記液晶表示ユニットに出力するガンマ補正部と、
前記ガンマ補正部より出力された画像情報に対するガンマ補正を施した場合に、前記第２液晶表示ユニットによる画像の表示に適した画像情報が得られるようなガンマ補正情報を記憶する第２ガンマ補正情報記憶部と、
前記第２ガンマ補正情報記憶部に記憶されたガンマ補正情報を前記液晶表示ユニットに出力する制御部と、
を有することを特徴とする情報出力ユニット。
【請求項３】
前記制御部は、前記液晶表示ユニットの各種動作を制御する制御情報を前記液晶表示ユニットに出力するものであって、
前記制御部は、前記制御情報の空きアドレスを用いて、前記第２ガンマ補正情報記憶部に記憶されたガンマ補正情報を前記液晶表示ユニットに出力することを特徴とする請求項２に記載の情報出力ユニット。
【請求項４】
入力された画像情報に基づく画像の表示を、ガンマ補正を施さずに行う第１液晶表示ユニット、又は、入力された画像情報に基づく画像の表示を、入力されたガンマ補正情報に基づくガンマ補正の後に行う第２液晶表示ユニットと、
請求項２又は３に記載の情報出力ユニットと、
を有することを特徴とする電子機器。
【発明の詳細な説明】
【技術分野】
【０００１】
本発明は、液晶表示ユニットに情報を出力する情報出力ユニットに関する。また、本発明は、そのような情報出力ユニットを有する電子機器に関する。
【背景技術】
【０００２】
近年、携帯電話に代表される、液晶表示ユニットに情報を出力する情報出力ユニットと、情報出力ユニットより入力された情報に基づく画像の表示を行う液晶表示ユニットとを有する電子機器が普及している。なお、本明細書においては、液晶表示ユニットとは、ＬＣＤ（Liquid Crystal Display）パネルと、ソースドライバと、ゲートドライバとを有し、情報出力ユニットより入力された情報に基づく画像の表示を行うものとする。
【０００３】
ここで、ＬＣＤパネルのガンマ特性（階調電圧とＬＣＤの輝度との関係を表す特性）は品種ごとに異なるので、液晶表示ユニットによる画像の表示を行う際には、元の画像情報に対して、使用するＬＣＤパネルに適したガンマ補正を施す必要がある。したがって、液晶表示ユニットのＬＣＤパネルの品種を交換する際には、ガンマ補正に関する設定を変更する必要がある。
【０００４】
ここで、従来においては、液晶表示ユニットのＬＣＤパネルの品種を交換する際には、液晶表示ユニットのＲＯＭの交換や回路の再調整などの操作を行うことによってガンマ補正に関する設定を変更していた。しかしながら、これらの操作は非常に煩雑なものとなるという問題点がある。そこで、この問題点を解消するための各種発明がなされており、その一例を特許文献１に見ることができる。
【０００５】
特許文献１には、ガンマ補正回路の基準電圧に係る情報をメモリに蓄積しておき、それを取り出してＤ／Ａ変換して基準電圧を生成する構成とすることで、ＬＣＤパネルに合わせてガンマ補正情報を切り換えることができる液晶表示ユニットが記載されている。
【特許文献１】特開平１０−３３３６４８号公報
【発明の開示】
【発明が解決しようとする課題】
【０００６】
ところで、情報出力ユニットと、液晶表示ユニットとを有する電子機器においては、液晶表示ユニットの交換を行う場合もある。そして、液晶表示ユニットには、情報出力ユニットより入力された画像情報に基づく画像の表示を、ガンマ補正を施さずに行うもの（以下、第１液晶表示ユニットとする）もあり、情報出力ユニットより入力された画像情報に基づく画像の表示を、情報出力ユニットより入力されたガンマ補正情報に基づくガンマ補正の後に行うもの（以下、第２液晶表示ユニットとする）もある。
【０００７】
したがって、第１液晶表示ユニットに接続された場合には、情報出力ユニットは、元の画像情報に対して、第１液晶表示ユニットによる画像の表示に適したガンマ補正を行い、得られた画像情報を出力する必要がある。一方、第２液晶表示ユニットに接続された場合には、情報出力ユニットは、元の画像情報と、第２液晶表示ユニットによる画像の表示に適したガンマ補正情報とを出力する必要がある。つまり、第１液晶表示ユニットに接続された場合と、第２液晶表示ユニットに接続された場合とで、情報出力ユニットが出力する必要がある情報は異なることとなる。
【０００８】
そのため、従来においては、情報出力ユニットを、ＲＯＭの交換や回路の再調整などによって出力する情報を変更する構成とするか、あるいは、ソフトウェア的に出力する情報を変更する構成とするかによって、接続される液晶表示ユニットが第１液晶表示ユニットである場合と、接続される液晶表示ユニットが第２液晶表示ユニットである場合との両方に対応できるようにしていた。
【０００９】
しかしながら、ＲＯＭの交換や回路の再調整などによって出力する情報を変更する構成とした場合には、液晶表示ユニットを交換する際の操作が非常に煩雑なものとなるという問題点があった。また、ソフトウェア的に出力する情報を変更する構成とした場合には、大容量のメモリや多数のＤ／Ａ変換器などが必要となることによる装置の大型化、ソフトウェアルーチンの複雑化による消費電力の増大などの問題点があった。
【００１０】
ここで、特許文献１に記載の発明は、液晶表示ユニットのＬＣＤパネルの品種を交換する際の操作を不要とすることができるものであるが、第１液晶表示ユニットと、第２液晶表示ユニットとのいずれにも接続可能な情報出力ユニットの上記問題点を解消できるものではない。
【００１１】
上記の問題点を鑑みて、本発明においては、入力された画像情報に基づく画像の表示を、ガンマ補正を施さずに行う液晶表示ユニットと；入力された画像情報に基づく画像の表示を、入力されたガンマ補正情報に基づくガンマ補正の後に行う液晶表示ユニットと；のいずれにも接続可能な、液晶表示ユニットに情報を出力する情報出力ユニットであって、液晶表示ユニットを交換する際の操作を不要とすることができ、装置の大型化、消費電力の増大などを防止できる情報出力ユニットを提供することを目的とする。また、本発明の他の目的は、そのような情報出力ユニットを有する電子機器を提供することである。
【課題を解決するための手段】
【００１２】
本発明においては、電子機器は、入力された画像情報に基づく画像の表示を、ガンマ補正を施さずに行う第１液晶表示ユニット、又は、入力された画像情報に基づく画像の表示を、入力されたガンマ補正情報に基づくガンマ補正の後に行う第２液晶表示ユニットと、前記第１液晶表示ユニットと、前記第２液晶表示ユニットとのいずれにも接続可能な、液晶表示ユニットに情報を出力する情報出力ユニットと、を有し、前記情報出力ユニットは、前記第１液晶表示ユニットによる画像の表示に適したガンマ補正情報を記憶する第１ガンマ補正情報記憶部と、入力された画像情報に対して、前記第１ガンマ補正情報記憶部に記憶されたガンマ補正情報に基づくガンマ補正を施し、得られた画像情報を前記液晶表示ユニットに出力するガンマ補正部と、前記ガンマ補正部より出力された画像情報に対するガンマ補正を施した場合に、前記第２液晶表示ユニットによる画像の表示に適した画像情報が得られるようなガンマ補正情報を記憶する第２ガンマ補正情報記憶部と、前記液晶表示ユニットの各種動作を制御する制御情報及び前記第２ガンマ補正情報記憶部に記憶されたガンマ補正情報を前記液晶表示ユニットに出力する制御部と、を有し、前記制御部は、前記制御情報の空きアドレスを用いて、前記第２ガンマ補正情報記憶部に記憶されたガンマ補正情報を前記液晶表示ユニットに出力することを特徴とする。
【００１３】
本発明においては、情報出力ユニットは、入力された画像情報に基づく画像の表示を、ガンマ補正を施さずに行う第１液晶表示ユニットと；入力された画像情報に基づく画像の表示を、入力されたガンマ補正情報に基づくガンマ補正の後に行う第２液晶表示ユニットと；のいずれにも接続可能な、液晶表示ユニットに情報を出力する情報出力ユニットであって、前記第１液晶表示ユニットによる画像の表示に適したガンマ補正情報を記憶する第１ガンマ補正情報記憶部と、入力された画像情報に対して、前記第１ガンマ補正情報記憶部に記憶されたガンマ補正情報に基づくガンマ補正を施し、得られた画像情報を前記液晶表示ユニットに出力するガンマ補正部と、前記ガンマ補正部より出力された画像情報に対するガンマ補正を施した場合に、前記第２液晶表示ユニットによる画像の表示に適した画像情報が得られるようなガンマ補正情報を記憶する第２ガンマ補正情報記憶部と、前記第２ガンマ補正情報記憶部に記憶されたガンマ補正情報を前記液晶表示ユニットに出力する制御部と、を有することを特徴とする。
【００１４】
本発明においては、上記構成の情報出力ユニットにおいて、前記制御部は、前記液晶表示ユニットの各種動作を制御する制御情報を前記液晶表示ユニットに出力するものであって、前記制御部は、前記制御情報の空きアドレスを用いて、前記第２ガンマ補正情報記憶部に記憶されたガンマ補正情報を前記液晶表示ユニットに出力することが望ましい。
【００１５】
本発明においては、電子機器は、入力された画像情報に基づく画像の表示を、ガンマ補正を施さずに行う第１液晶表示ユニット、又は、入力された画像情報に基づく画像の表示を、入力されたガンマ補正情報に基づくガンマ補正の後に行う第２液晶表示ユニットと、上記構成の情報出力ユニットと、を有することを特徴とする。
【発明の効果】
【００１６】
本発明の情報出力ユニットは、ガンマ補正部に入力された画像情報に対して、第１ガンマ補正情報記憶部に記憶された、第１液晶表示ユニットによる画像の表示に適したガンマ補正情報に基づくガンマ補正を施し、得られた画像情報を液晶表示ユニットに出力する。したがって、接続された液晶表示ユニットが、入力された画像情報に基づく画像の表示を、ガンマ補正を施さずに行う第１液晶表示ユニットである場合に、適切な画像表示を行わせることができる。
【００１７】
また、本発明の情報出力ユニットは、第２ガンマ補正情報記憶部に記憶された、ガンマ補正部より出力された画像情報に対するガンマ補正を施した場合に、第２液晶表示ユニットによる画像の表示に適した画像情報が得られるようなガンマ補正情報を液晶表示ユニットに出力する。したがって、接続された液晶表示ユニットが、入力された画像情報に基づく画像の表示を、入力されたガンマ補正情報に基づくガンマ補正の後に行う第２液晶表示ユニットである場合に、適切な画像表示を行わせることができる。
【００１８】
つまり、本発明の情報出力ユニットは、同一の情報を出力することによって、第１液晶表示ユニットに接続された場合にも、第２液晶表示ユニットに接続された場合にも、適切な画像表示を行わせることができる。したがって、ＲＯＭの交換や回路の再調整などによって出力する情報を変更する構成とした情報出力ユニットにおいて必要だった、液晶表示ユニットを交換する際の非常に煩雑な操作を不要とすることができる。
【００１９】
そして、ソフトウェア的に出力する情報を変更する構成とした情報出力ユニットにおいて必要だった、大容量のメモリ、多数のＤ／Ａ変換器、ソフトウェアルーチンの複雑化などを不要とすることができるので、装置の大型化、消費電力の増大などを防止できる。
【００２０】
また、本発明の情報出力ユニットにおいては、制御部は、接続された液晶表示ユニットの各種動作を制御する制御情報の空きアドレスを用いて、第２ガンマ補正情報記憶部に記憶されたガンマ補正情報を液晶表示ユニットに出力するので、情報出力ユニットと液晶表示ユニットとの間に新たな情報ラインを設ける必要がなく、装置の大型化、消費電力の増大などを防止できる。
【発明を実施するための最良の形態】
【００２１】
本発明の実施形態について、図面を用いて説明すれば以下の通りである。
【００２２】
まず、本発明の実施形態に係る情報出力ユニット１０について説明する。図１は、本発明の実施形態に係る情報出力ユニット１０の概略の構成を示すブロック図である。情報出力ユニット１０は、画像情報生成部１１と、画像情報生成部１１に接続されたガンマ補正部１２と、ガンマ補正部１２に接続された第１ガンマ補正情報記憶部１３と、ガンマ補正部１２に接続された情報ライン１４と、第２ガンマ補正情報記憶部１５と、第２ガンマ補正情報記憶部１５に接続された制御部１６と、制御部１６に接続された情報ライン１７とを有している。
【００２３】
次に、情報出力ユニット１０が、接続された液晶表示ユニットに情報を出力する際の動作について説明する。まず、画像情報生成部１１が画像情報を生成する。ここで、例えば、情報出力ユニット１０がデジタルカメラに内蔵されるものである場合には、画像情報生成部１１は、撮像光学系ＯＳ、ＣＣＤ（Charged Coupled Device）などによって構成され、赤色（Ｒ）、緑色（Ｇ）、青色（Ｂ）の各画像情報を生成することとなる。
【００２４】
そして、画像情報生成部１１は、生成した画像情報をガンマ補正部１２に出力する。ここで、第１ガンマ補正情報記憶部１３は、後述する第１液晶表示ユニット２０による画像の表示に適したガンマ補正情報を記憶している。そして、ガンマ補正部１２は、第１ガンマ補正情報記憶部１３に記憶されたガンマ補正情報を読み出し、画像情報生成部１１より入力された画像情報に対して、第１ガンマ補正情報記憶部１３に記憶されたガンマ補正情報に基づくガンマ補正を施し、得られた画像情報を、情報ライン１４を介して、接続された液晶表示ユニットに出力する。
【００２５】
また、第２ガンマ補正情報記憶部１５は、ガンマ補正部１２より出力された画像情報に対するガンマ補正を施した場合に、後述する第２液晶表示ユニット３０による画像の表示に適した画像情報が得られるようなガンマ補正情報を記憶している。そして、制御部１６は、第２ガンマ補正情報記憶部１５に記憶されたガンマ補正情報を読み出し、接続された液晶表示ユニットの各種動作を制御する制御情報とともに、第２ガンマ補正情報記憶部１５に記憶されたガンマ補正情報を、情報ライン１７を介して、接続された液晶表示ユニットに出力する。
【００２６】
ここで、制御部１６は、接続された液晶表示ユニットの各種動作を制御する制御情報の空きアドレスを用いて、第２ガンマ補正情報記憶部１５に記憶されたガンマ補正情報を、情報ライン１７を介して、接続された液晶表示ユニットに出力することとする。なお、接続された液晶表示ユニットの各種動作を制御する制御情報とは、ソースドライバ制御情報、ゲートドライバ制御情報、電源のオンオフ指令情報などによって構成される。
【００２７】
次に、本発明の実施形態に係る第１液晶表示ユニット２０について説明する。図２は、本発明の実施形態に係る第１液晶表示ユニット２０の概略の構成を示すブロック図である。第１液晶表示ユニット２０は、情報ライン１４及び情報ライン１７に接続される表示制御インターフェース２１と、表示制御インターフェース２１に接続されたソースドライバ２２と、表示制御インターフェース２１に接続されたゲートドライバ２３と、ソースドライバ２２及びゲートドライバ２３に接続されたＬＣＤパネル２４とを有している。
【００２８】
次に、第１液晶表示ユニット２０が情報出力ユニット１０に接続され、情報出力ユニット１０より入力された画像情報に基づく画像の表示を行う際の動作について説明する。まず、ガンマ補正部１２によってガンマ補正が施された画像情報が情報ライン１４を介して、そして、第１液晶表示ユニット２０の各種動作を制御する制御情報及び第２ガンマ補正情報記憶部１５に記憶されたガンマ補正情報が情報ライン１７を介して、それぞれ表示制御インターフェース２１に入力される。
【００２９】
そして、表示制御インターフェース２１は、情報ライン１４を介して入力された画像情報及び情報ライン１７を介して入力されたソースドライバ制御情報を、ソースドライバ２２に出力する。また、表示制御インターフェース２１は、情報ライン１７を介して入力されたゲートドライバ制御情報を、ゲートドライバ２３に出力する。
【００３０】
そして、ソースドライバ２２は、表示制御インターフェース２１より入力された画像情報に対して、Ｄ／Ａ変換などの各種信号処理を施す。なお、ここで、ソースドライバ２２は、ガンマ補正を施す機能は持っていないものとする。そして、ソースドライバ２２は、表示制御インターフェース２１より入力されたソースドライバ制御情報に基づいて、各種信号処理が施された画像情報をＬＣＤパネル２４に出力する。また、ゲートドライバ２３は、表示制御インターフェース２１より入力されたゲートドライバ制御情報に基づいて、走査情報をＬＣＤパネル２４に出力する。
【００３１】
以上の動作によって、情報ライン１４を介して表示制御インターフェース２１に入力された画像情報に基づく画像が、ＬＣＤパネル２４に表示される。つまり、第１液晶表示ユニット２０は、入力された画像情報に基づく画像の表示を、ガンマ補正を施さずに行うものである。しかしながら、情報出力ユニット１０のガンマ補正部１２において、第１ガンマ補正情報記憶部１３に記憶された、第１液晶表示ユニット２０による画像の表示に適したガンマ補正情報に基づくガンマ補正が施された画像情報が、情報ライン１４を介して表示制御インターフェース２１に入力されることから、ＬＣＤパネル２４には、適切な画像が表示されることとなる。
【００３２】
なお、第１液晶表示ユニット２０が情報出力ユニット１０に接続されている場合には、情報ライン１７を介して表示制御インターフェース２１に入力されたガンマ補正情報は利用されない。
【００３３】
次に、本発明の実施形態に係る第２液晶表示ユニット３０について説明する。図３は、本発明の実施形態に係る第２液晶表示ユニット３０の概略の構成を示すブロック図である。第２液晶表示ユニット３０は、情報ライン１４及び情報ライン１７に接続される表示制御インターフェース３１と、表示制御インターフェース３１に接続されたソースドライバ３２と、表示制御インターフェース３１に接続されたゲートドライバ３３と、ソースドライバ３２及びゲートドライバ３３に接続されたＬＣＤパネル３４とを有している。
【００３４】
次に、第２液晶表示ユニット３０が情報出力ユニット１０に接続され、情報出力ユニット１０より入力された画像情報に基づく画像の表示を行う際の動作について説明する。まず、ガンマ補正部１２によってガンマ補正が施された画像情報が情報ライン１４を介して、そして、第２液晶表示ユニット３０の各種動作を制御する制御情報及び第２ガンマ補正情報記憶部１５に記憶されたガンマ補正情報が情報ライン１７を介して、それぞれ表示制御インターフェース３１に入力される。
【００３５】
そして、表示制御インターフェース３１は、情報ライン１４を介して入力された画像情報及び情報ライン１７を介して入力されたソースドライバ制御情報及びガンマ補正情報を、ソースドライバ３２に出力する。また、表示制御インターフェース３１は、情報ライン１７を介して入力されたゲートドライバ制御情報を、ゲートドライバ３３に出力する。
【００３６】
そして、ソースドライバ３２は、表示制御インターフェース３１より入力された画像情報に対して、Ｄ／Ａ変換、表示制御インターフェース３１より入力されたガンマ補正情報に基づいたガンマ補正などの各種信号処理を施す。そして、ソースドライバ３２は、表示制御インターフェース３１より入力されたソースドライバ制御情報に基づいて、各種信号処理が施された画像情報をＬＣＤパネル３４に出力する。また、ゲートドライバ３３は、表示制御インターフェース３１より入力されたゲートドライバ制御情報に基づいて、走査情報をＬＣＤパネル３４に出力する。
【００３７】
以上の動作によって、情報ライン１４を介して表示制御インターフェース３１に入力された画像情報に基づく画像が、ＬＣＤパネル３４に表示される。つまり、第２液晶表示ユニット３０は、入力された画像情報に基づく画像の表示を、入力されたガンマ補正情報に基づくガンマ補正の後に行うものである。
【００３８】
ここで、表示制御インターフェース３１よりソースドライバ３２に入力される画像情報は、情報出力ユニット１０のガンマ補正部１２より出力された画像情報である。そして、表示制御インターフェース３１よりソースドライバ３２に入力されるガンマ補正情報は、情報出力ユニット１０の第２ガンマ補正情報記憶部１５に記憶されている、ガンマ補正部１２より出力された画像情報に対するガンマ補正を施した場合に、第２液晶表示ユニット３０による画像の表示に適した画像情報が得られるようなガンマ補正情報である。そのため、ＬＣＤパネル３４には、適切な画像が表示されることとなる。
【００３９】
以上の通り、本実施形態に係る情報出力ユニット１０は、同一の情報を出力することによって、第１液晶表示ユニット２０に接続された場合にも、第２液晶表示ユニット３０に接続された場合にも、適切な画像を表示させることができる。したがって、ＲＯＭの交換や回路の再調整などによって出力する情報を変更する構成とした情報出力ユニットにおいて必要だった、液晶表示ユニットを交換する際の非常に煩雑な操作を不要とすることができる。
【００４０】
そして、ソフトウェア的に出力する情報を変更する構成とした情報出力ユニットにおいて必要だった、大容量のメモリ、多数のＤ／Ａ変換器、ソフトウェアルーチンの複雑化などを不要とすることができるので、装置の大型化、消費電力の増大などを防止できる。
【００４１】
また、制御部１６は、接続された液晶表示ユニットの各種動作を制御する制御情報の空きアドレスを用いて、第２ガンマ補正情報記憶部１５に記憶されたガンマ補正情報を、情報ライン１７を介して、接続された液晶表示ユニットに出力するので、情報出力ユニット１０と、接続された液晶表示ユニットとの間に新たな情報ラインを設ける必要がなく、装置の大型化、消費電力の増大などを防止できる。
【００４２】
なお、本発明は上記の実施形態に限定されず、本発明の主旨を逸脱しない範囲で種々の変更が可能である。例えば、上記の実施形態においては、情報出力ユニット１０は、画像情報生成部１１によって画像情報を生成するものとしたが、画像情報生成部１１を有さず、外部で生成された画像情報が入力される情報出力ユニット１０を構成することももちろん可能である。
【産業上の利用可能性】
【００４３】
本発明は、液晶表示ユニットに情報を出力する情報出力ユニットとして有効である。また、本発明は、そのような情報出力ユニットを有する電子機器として有効である。
【図面の簡単な説明】
【００４４】
【図１】情報出力ユニット１０の概略の構成を示すブロック図。
【図２】第１液晶表示ユニット２０の概略の構成を示すブロック図。
【図３】第２液晶表示ユニット３０の概略の構成を示すブロック図。
【符号の説明】
【００４５】
１０    情報出力ユニット
１２    ガンマ補正部
１３    第１ガンマ補正情報記憶部
１５    第２ガンマ補正情報記憶部
１６    制御部
２０    第１液晶表示ユニット
３０    第２液晶表示ユニット
【図１】
2008180920.tif 000003
【図２】
2008180920.tif 000004
【図３】
2008180920.tif 000005